(57)【要約】【課題】  従来のソフトウェア無線機では、制御端末からネットワークを介して制御を行うので、ネットワークに障害が発生した場合には、ソフトウェア無線機の制御が不能となってしまうという問題点があり、ネットワークに障害が発生した場合にも制御可能なソフトウェア無線機を提供する。【解決手段】  通常は制御端末４の制御下にあってネットワーク３を介して制御端末４から送信される制御信号に基づいて動作を行うが、シリアルインタフェースを介して保守端末５とのシリアル通信が確立すると、制御端末４に対して制御移行通知を出力して、保守端末５の制御下に移行し、保守端末５からシリアル通信で送信される制御信号に基づいて動作を行い、シリアルデータを受信しなくなってから一定時間シリアルデータの受信がない場合には、制御端末４に対して制御復帰通知を出力して再び制御端末４の制御下に移行するソフトウェア無線機としている。【選択図】        図１
2008104149.tif 000002
【特許請求の範囲】
【請求項１】
ネットワークを介して接続された制御端末の制御下において、前記制御端末から送信された制御信号に基づいて動作を行う制御部を備えたソフトウェア無線機であって、
シリアルインタフェースを備え、
前記制御部が、前記シリアルインタフェースを介して接続された保守端末から送信されたシリアルデータを受信すると、前記制御端末に前記制御端末の制御外に移行することを通知し、前記保守端末の制御下に移行して前記保守端末から送信されたシリアルデータの制御信号に基づいて動作を行い、前記保守端末の制御下において、シリアルデータを受信しなくなってから予め設定された一定時間シリアルデータの受信がない場合には、前記制御端末に当該制御端末の制御下に復帰することを通知して、前記制御端末の制御下に移行することを特徴とするソフトウェア無線機。
【発明の詳細な説明】
【技術分野】
【０００１】
本発明は、ソフトウェア無線機に係り、特にネットワーク障害時にもオペレータによる制御を行うことができるソフトウェア無線機に関する。
【背景技術】
【０００２】
ソフトウェア無線機は、機能毎（例えば変調方式毎）に対応するソフトウェアを備え、それらのソフトウェアの中から必要なソフトウェアを選択することにより、所望の無線方式による送受信を実現するものである。ソフトウェア無線機においては、ソフトウェアの追加や変更によって無線機の機能を変更することが可能である。
【０００３】
また、従来のソフトウェア無線機においては、ソフトウェアを変更する場合には、ソフトウェアを格納しているサーバから、ネットワークを介してダウンロードする方法があり、オペレータによるソフトウェア変更等の制御操作は、ネットワークを介して接続された制御端末から行われ、ソフトウェア無線機を遠隔制御するようになっていた。
【０００４】
制御端末を用いたソフトウェア無線機の制御方法においては、制御端末の入力部からオペレータが指示を入力すると、制御端末がネットワークを介してソフトウェア無線機に制御信号を送出し、ソフトウェア無線機は、受信した制御信号に従って動作するようになっている。
【０００５】
尚、ソフトウェア無線機の従来技術としては、平成１６年４月２日公開の特開２００４−１０４３７９号「無線通信装置」（出願人：株式会社日立国際電気、発明者：手嶋功）がある。
この従来技術は、ＡＭ変調とＦＭ変調の２つの変調信号を生成し、２つの変調信号に対して周波数変換を行って送信すると共に、外部からの無線信号を受信して、２つの無線信号に対して周波数変換を行い、２つの周波数変換信号の受信電力に基づいて選択された周波数変換信号に対する復調プログラムを読み出して復調する無線通信装置であり、これにより、受信した複数の無線信号のうち最も品質の良い無線信号を復調することができるものである。
【０００６】
【特許文献１】特開２００４−１０４７３９号公報
【発明の開示】
【発明が解決しようとする課題】
【０００７】
しかしながら、従来のソフトウェア無線機では、制御端末からネットワークを介して制御を行うようにしているので、ネットワークに障害が発生した場合には、ソフトウェア無線機の制御が不能となってしまう恐れがあるという問題点があった。
【０００８】
本発明は上記実状に鑑みて為されたもので、ネットワークに障害が発生した場合にも制御可能なソフトウェア無線機を提供することを目的とする。
【課題を解決するための手段】
【０００９】
上記従来例の問題点を解決するための本発明は、ネットワークを介して接続された制御端末の制御下において、制御端末から送信された制御信号に基づいて動作を行う制御部を備えたソフトウェア無線機であって、制御部が、シリアルインタフェースを備え、シリアルインタフェースを介して接続された保守端末から送信されたシリアルデータを受信すると、制御端末に制御端末の制御外に移行することを通知し、保守端末の制御下に移行して保守端末から送信されたシリアルデータの制御信号に基づいて動作を行い、保守端末の制御下において、シリアルデータを受信しなくなってから予め設定された一定時間シリアルデータの受信がない場合には、制御端末に当該制御端末の制御下に復帰することを通知して、制御端末の制御下に移行することを特徴としている。
【発明の効果】
【００１０】
本発明によれば、ネットワークを介して接続された制御端末の制御下において、制御端末から送信された制御信号に基づいて動作を行う制御部を備えたソフトウェア無線機であって、シリアルインタフェースを備え、制御部が、シリアルインタフェースを介して接続された保守端末から送信されたシリアルデータを受信すると、制御端末に制御端末の制御外に移行することを通知し、保守端末の制御下に移行して保守端末から送信されたシリアルデータの制御信号に基づいて動作を行い、保守端末の制御下において、シリアルデータを受信しなくなってから予め設定された一定時間シリアルデータの受信がない場合には、制御端末に当該制御端末の制御下に復帰することを通知して、制御端末の制御下に移行するソフトウェア無線機としているので、ネットワークに障害が発生して制御端末からの制御ができなくなった場合でも、保守端末からソフトウェア無線機の制御を行うことができ、緊急時にもソフトウェア無線機に所望の動作を行わせることができる効果がある。
【発明を実施するための最良の形態】
【００１１】
本発明の実施の形態について図面を参照しながら説明する。
本発明に係るソフトウェア無線機は、通常は、ネットワークを介して制御端末の制御下にあるが、例えばネットワークの障害発生時等、ネットワークを介さずにシリアル通信で保守端末との接続が確立すると、保守端末の制御下に移行して、保守端末からの緊急制御を受け付け、一定時間シリアル信号を受信しないと、制御端末の制御下に移行するものであり、ネットワークに障害が発生した場合にも、制御不能に陥ることなく、通常と同様に運用することができるものである。
【００１２】
図１は、本発明の実施の形態に係るソフトウェア無線機を含む通信システム（本システム）の構成ブロック図である。
図１に示すように、本発明の実施の形態に係るソフトウェア無線機が用いられる通信システムは、ソフトウェア無線機１と、無線器材２と、ネットワーク３と、制御端末４と、保守端末５とから構成されている。ソフトウェア無線機１、及び無線器材２は複数接続されている場合もある。
【００１３】
各構成部分について説明する。
無線器材２は、ソフトウェア無線機１と連携して、無線機機能を実現するための器材であり、例えば、アンテナや電力増幅器が考えられる。ソフトウェア無線機１の内部にこれらの器材が設けられていて、単独で無線機機能を実現できる場合には、無線器材２はなくてもよい。
【００１４】
ネットワーク３は、ＬＡＮ等のネットワークであり、本システムの構成部分を接続するものである。無線器材２、制御端末４は、ネットワーク３を介してソフトウェア無線機１に接続している。
【００１５】
制御端末４は、ネットワーク３に接続されたソフトウェア無線機１や無線器材２の監視及び制御を行うものであり、従来と同様に、ネットワーク３を介してソフトウェア無線機１の制御を行う。
そして、本システムの制御端末４の特徴として、ソフトウェア無線機１から、保守端末５の制御下に移行したことを通知する制御移行通知を受信すると、オペレータによるソフトウェア無線機１の制御操作を行わないように、保守端末の制御下にあることをメッセージで表示したり、又は、制御操作を受け付けないようになっている。
また、制御端末４は、ソフトウェア無線機１から保守端末５の制御が終了して再び制御端末１の制御下に移行することを通知する制御復帰通知を受信すると、オペレータにその旨を報知するメッセージを表示したり、又は、制御操作の受け付けを可能とするようになっている。
【００１６】
保守端末５は、ネットワーク３を介さずに、シリアル通信ケーブルによってソフトウェア無線機１に接続される端末であり、プログラムや各種データを記憶する記憶部と、プログラムを起動して制御を行う制御部と、データを表示する表示部と、オペレータにより指示やデータが入力される操作部とを備えている（図示省略）。
そして、ネットワーク障害が発生した場合等の緊急時にソフトウェア無線機１に接続され、オペレータによって緊急操作が為されるものである。すなわち、保守端末５は、ネットワークに障害が発生していてもソフトウェア無線機１との通信が可能なものである。
【００１７】
ソフトウェア無線機１の構成について図２を用いて説明する。図２は、本発明の実施の形態に係るソフトウェア無線機１の概略構成ブロック図である。
図２に示すように、ソフトウェア無線機１の基本的な構成は、従来のソフトウェア無線機とほぼ同様であり、信号処理部１１と、インタフェース部１２と、記憶部１３と、制御部１４と、シリアルインタフェース部１５とを備えている。
【００１８】
信号処理部１１は、Ａ／Ｄ変換された入力送信信号をフレームに分割して選択された変調方式で変調処理を行ってベースバンドＩ信号及びベースバンドＱ信号を出力すると共に、受信したベースバンドＩ／Ｑ信号を選択された復調方式で復調するベースバンド処理部と、送信ベースバンドＩ／Ｑ信号を直交変調すると共に、受信デジタルＩＦ信号を直交復調してベースバンドＩ／Ｑ信号を出力する直交変復調部とを備えている。
また、制御端末４からの制御信号から制御データを取り出して制御部１４に出力すると共に、制御部１４から制御端末４へのデータを送信用のデータに変換する。
【００１９】
インタフェース部１２は、信号処理部１１とネットワーク３とを接続するインタフェースである。
記憶部１３は、ソフトウェア無線機１の信号処理部１１における変調／復調処理を実現する複数のソフトウェア（図示せず）を記憶するものである。
【００２０】
制御部１４は、制御端末４又は保守端末５からの制御信号に従って装置の制御を行うものであり、制御信号によって選択されたソフトウェアを起動して信号処理部に信号処理を行わせるものである。
シリアルインタフェース部１５は、保守端末５と制御部１４とを接続するインタフェースである。
【００２１】
そして、本システムのソフトウェア無線機１の制御部１４は、ネットワーク３が正常に機能している場合（通常運用状態）には、ネットワーク３に接続された制御端末４からの制御信号を入力し、これに従って動作を行い、ネットワーク３に異常が発生した場合（障害状態、緊急運用状態）には、制御端末４に制御移行通知を送信して、シリアル通信による保守端末５からの制御信号を優先的に入力するものである。つまり、ソフトウェア無線機１の制御部１４は、シリアルデータを受信した場合には、シリアルデータを優先的に受け付けて保守端末５の制御下に移行する。
【００２２】
具体的には、ソフトウェア無線機１の制御部１４は、通常運用状態ではネットワークのプロトコルで送信される制御端末４からの制御信号を受信して、それにしたがって動作を行うが、制御端末４又はソフトウェア無線機１から警報が出力されて、ネットワークに障害が発生したことが報知されると、オペレータによってソフトウェア無線機１のシリアルインタフェース部１５に保守端末５が接続される。そして、ソフトウェア無線機１の制御部１４は、保守端末５からのシリアルデータを受信すると、シリアル通信を優先的に行って、保守端末５からの制御を受けるようになっている。
【００２３】
これにより、例えば、緊急時には、保守端末５からの操作で、発信中の電波を停止したり、ソフトウェア無線機において選択されるソフトウェアを変更して実現される機能を変更する等の制御を行うことができるものである。尚、保守端末５からの制御は、ネットワークに障害が発生した場合に限らず、制御端末４に不具合が生じた場合等、必要であれば随時行うことができる。また、保守端末５の制御下にある場合には、制御端末４からの制御信号を受信しても受け付けず、当該制御信号に基づく動作は行わないようになっている。
【００２４】
そして、ソフトウェア無線機１の制御部１４は、シリアル信号を一定時間受信しなかった場合には、制御端末４に対して、制御端末４からの制御が可能な状態になったことを通知する制御復帰通知を送信して、再びネットワークから受信した制御端末４からの制御信号を受け付け、制御端末４の制御下に移行するようになっている。
【００２５】
ここで、ソフトウェア無線機１の制御部１４の動作について図３を用いて説明する。図３は、ソフトウェア無線機１の制御部の処理を示すフローチャート図である。
図３に示すように、ソフトウェア無線機１の制御部１４は、通常運用状態においては、制御端末４の制御下にあり、ネットワーク３を介して制御端末４から制御信号を受信して、それに対する応答を送信し、制御端末４との通信を行っている（１０２）。
【００２６】
そして、ソフトウェア無線機１の制御部１４は、シリアルデータを受信したか否かを判断する（１０４）。シリアルデータを受信しなかった場合には、処理１０２に戻って制御端末４との通信を続ける。
【００２７】
処理１０４でシリアルデータを受信した場合には、ソフトウェア無線機１の制御部１４は、制御端末４に制御移行通知を送信し（１０６）、保守端末５の制御下に移行する（１０８）。
そして、ソフトウェア無線機１の制御部１４は、シリアル通信で保守端末５との通信を行い（１１０）、保守端末５から送信される制御信号を受信して動作を行う。
【００２８】
ソフトウェア無線機１の制御部１４は、保守端末５の制御下に移行すると、シリアルデータを一定時間以上受信していないかどうかを判断し（１１２）、一定時間内に受信があった場合（Ｎｏの場合）には、処理１１０に戻って保守端末５との通信を続ける。
また、処理１１２で一定時間シリアルデータの受信がなかった場合（Ｙｅｓの場合）には、ソフトウェア無線機１の制御部１４は、制御端末４に制御復帰通知を送信し（１１４）、制御端末の制御下に移行する（１００）。このようにして、ソフトウェア無線機１の制御部１４の処理が行われるものである。
【００２９】
次に、ソフトウェア無線機１と保守端末５とがシリアル通信を行う際の制御メッセージのフォーマットについて説明する。図４は、ソフトウェア無線機１と保守端末５との間でやりとりされる制御メッセージのデータフォーマットを示す模式説明図である。
図４に示すように、制御メッセージは、メッセージヘッダ部とメッセージデータ部とから成り、メッセージヘッダ部には、メッセージ長、制御種別、制御種別（副）、機器ＩＤの情報が含まれる。メッセージデータ部には、保守端末５からの具体的な制御内容や、ソフトウェア無線機１からのステータス情報が含まれる。
【００３０】
本システム内の各機器にはＩＤが付与されており、ソフトウェア無線機１が保守端末５からの制御メッセージを受信すると、メッセージヘッダ部に含まれる機器ＩＤが、自己のＩＤと一致するかどうかを判断し、一致する場合には制御を実行し、一致しない場合にはその情報を破棄して、保守端末５に情報受信のエラーを応答する。これにより、１台の保守端末に複数のソフトウェア無線機１が接続されている場合でも、所望のソフトウェア無線機１に対する適切な制御を行うことができるものである。
【００３１】
そして、保守端末５は、ソフトウェア無線機１に対して制御メッセージでステータス情報の要求を送信し、この要求に対する応答としてソフトウェア無線機１から送信される制御メッセージでソフトウェア無線機１のステータス情報を取得し、ステータス情報に基づいて、保守端末５の画面にソフトウェア無線機１の状態を表示する。オペレータはこの表示を見ながら、監視や制御等の操作を行うようになっている。
【００３２】
次に、ソフトウェア無線機１と制御端末４及び保守端末５との間の制御シーケンスについて図５を用いて説明する。図５は、ソフトウェア無線機１と制御端末４及び保守端末５との間の制御シーケンスを示すシーケンス説明図である。
図５に示すように、通常は、ソフトウェア無線機１は制御端末４の制御下にあり、制御端末４がソフトウェア無線機に対してネットワークを介して制御信号を送信し、ソフトウェア無線機１がネットワークを介してそれに対する応答を行って、制御信号に基づいた動作を行っている。
【００３３】
そして、ソフトウェア無線機１に保守端末５が接続されると、保守端末５はシリアル通信で接続要求を送信する（１）。ソフトウェア無線機１は、シリアルデータの接続要求を受信すると、保守端末５に接続応答を出力し（２）、ソフトウェア無線機１と保守端末５との接続が確立する。
【００３４】
そして、ソフトウェア無線機１は、制御端末４に制御移行通知を出力する（３）。制御端末４は、ソフトウェア無線機１から制御移行通知を受信すると、応答を出力し（４）、ソフトウェア無線機１が保守端末５の制御下に移行したことを認識して、メッセージ等によりオペレータにその旨通知する。
【００３５】
一方、保守端末５は、ソフトウェア無線機１にステータス取得要求を送信し（５）、ソフトウェア無線機１は、それに応答して自機のステータス情報を送信する（６）。ステータス情報を受信した保守端末５は、ステータス情報に基づいて表示部にソフトウェア無線機１のステータスを表示し、オペレータはそれを見てソフトウェア無線機１に対して制御信号を送信して必要な制御を行い、ソフトウェア無線機１は制御信号に応答して、制御信号に従って動作を行う。
このようにして、ソフトウェア無線機１の制御シーケンスが行われるものである。
【００３６】
尚、図示は省略するが、保守端末５の制御下においては、ソフトウェア無線機１は、保守端末５からのシリアルデータの制御信号を受信すると、受信後、一定時間を計時するタイマを起動して、次の受信時にタイマをリセットする動作を行い、シリアルデータの受信がなく一定時間が経過してタイムアップした場合には、ソフトウェア無線機１は、保守端末５の制御は終了したものと判断して、制御端末４に制御復帰通知を送信する。そして、制御端末４は、ソフトウェア無線機１に応答を出力して、メッセージ等によりオペレータに制御復帰したことを通知し、又は制御操作の禁止を解除し、ソフトウェア無線機１への制御信号の送信を再開するようになっている。
【００３７】
本発明の実施の形態に係るソフトウェア無線機によれば、通常は制御端末４の制御下にあってネットワーク３を介して制御端末４から送信される制御信号に基づいて動作を行うが、シリアルインタフェースを介して保守端末５が接続されて、保守端末５とのシリアル通信が確立すると、制御端末４に対して制御移行通知を出力して、保守端末５の制御下に移行し、保守端末５からシリアル通信で送信される制御信号に基づいて動作を行い、シリアルデータを一定時間受信しなかった場合には、制御端末４に対して制御復帰通知を出力して再び制御端末４の制御下に移行するソフトウェア無線機としているので、ネットワークに障害が発生して制御端末４からの制御が不能になった場合でも保守端末５から制御を行うことができ、緊急時に迅速に制御を行うことができる効果がある。
【００３８】
また、本ソフトウェア無線機によれば、保守端末５の制御下において、一定時間シリアルデータの受信がなければ制御端末４の制御下に移行するようにしているので、保守端末５からの制御が終わって制御端末４の制御に移行可能となった場合に、特別な操作を行う必要がなく、直ちに通常の運用に戻ることができるという効果がある。
【００３９】
次に、本発明の別の実施の形態に係るソフトウェア無線機について説明する。
別の実施の形態では、保守端末とソフトウェア無線機との接続をイーサネット（登録商標）等のＬＡＮケーブルによる接続としたものである。
図６は、本発明の別の実施の形態に係るソフトウェア無線機を備えた通信システムの構成図である。
図６に示すように、別の実施の形態の通信システムは、複数のソフトウェア無線機１０１と、無線器材１０２と、ネットワーク１０３と、制御端末１０４と、保守端末１０５と、ＤＮＳサーバ１０６とから構成されている。無線器材１０２は複数接続されている場合もある。
【００４０】
上記構成の内、無線器材１０２と、制御端末１０４は図１に示した無線器材２、制御端末４と同一である。
ソフトウェア無線機１０１は、図１及び図２に示したソフトウェア無線機１とは基本的な構成は同一であるが、制御部における処理が一部異なっている。
ネットワーク１０３は、イーサネット（登録商標）等で構成されるネットワークである。
【００４１】
別の実施の形態の特徴部分について説明する。
保守端末１０５は、ネットワーク１０３を介してソフトウェア無線機１０１に接続し、オペレータの操作によってソフトウェア無線機の緊急制御や保守を行うものである。保守端末１０５は、ソフトウェア無線機１０１と制御端末１０４との間のネットワーク１０３に障害が発生した場合に、障害が発生していないネットワークを介してソフトウェア無線機１０１に接続して制御を行うほか、ネットワーク１０３が正常に機能している状態において、ソフトウェア無線機１０１の保守を行うことも可能である。
更に、ネットワーク１０３が広範囲で障害状態となった場合には、上述した実施の形態のように、シリアルインタフェースを介してソフトウェア無線機１０１に接続することも可能である。
【００４２】
ＤＮＳサーバ１０６は、各ソフトウェア無線機１０１のＩＰアドレスを管理するものである。ＤＮＳサーバ１０６には、予め各ソフトウェア無線機１０１についてそれぞれ固有のホスト名が登録されており、ホスト名によってＩＰアドレスが特定される。
【００４３】
そして、保守端末１０５が制御対象となる特定のソフトウェア無線機１０１にネットワーク１０３を介して接続する場合、まず、保守端末１０５は、ＤＮＳサーバ１０６にアクセスして、ソフトウェア無線機のホスト名によって特定されるＩＰアドレスを取得し、このＩＰアドレスを用いて当該特定のソフトウェア無線機１０１に接続する。
【００４４】
ソフトウェア無線機１０１では、当該ＩＰアドレスによるコネクションが確立した場合、保守端末１０５との通信を優先し、制御端末１０４からの制御下から保守端末１０５の制御下に移行する。上述した実施の形態と同様に、保守端末１０５の制御下に移行した場合には、制御端末１０４からの制御は受け付けない。
【００４５】
保守端末１０５は、ソフトウェア無線機１０１との接続を確立すると、現在運用されているソフトウェア無線機１０１のステータス情報を取得する。そして、保守端末１０５は、取得したステータス情報に基づいて、保守端末１０５への画面表示、監視／制御等を行う。
また、ソフトウェア無線機１０１と保守端末１０５との間でやりとりされる制御メッセージのフォーマットは、図４に示したものと同じである。具体的には、制御種別によって保守端末１０５から要求する制御内容を示し、その制御種別に対応した処理を無線機が実行するようになっている。
【００４６】
次に、別の実施の形態に係るソフトウェア無線機１０１の制御部の処理について、図７を用いて説明する。図７は、別の実施の形態に係るソフトウェア無線機１０１の制御部の処理を示すフローチャート図である。
図７に示すように、ソフトウェア無線機１０１の制御部は、通常運用状態においては制御端末１０４の制御下にあり、制御端末１０４との通信を行っている（２００）。
【００４７】
そして、ソフトウェア無線機１０１の制御部は、保守端末１０５からの接続の有無を監視する（２０２）。具体的には、制御部は、シリアルデータを受信したか、又はＴＣＰ／ＩＰの接続が確立したかを判断する。シリアルデータを受信した場合には、保守端末１０５がシリアルインタフェースを介して接続した場合であり、ＴＣＰ／ＩＰの接続が確立した場合には、保守端末１０５がネットッワーク１０３を介して接続した場合である。
【００４８】
処理２０２で、保守端末１０５からの接続を確認しなかった場合（Ｎｏの場合）には、ソフトウェア無線機１０１の制御部は、処理２００に戻って制御端末１０４との通信を続ける。
【００４９】
処理２０２で保守端末１０５からの接続があった場合（Ｙｅｓの場合）、つまりシリアルデータを受信したか、又はＴＣＰ／ＩＰの接続が確立した場合には、ソフトウェア無線機１０１の制御部は、いずれの場合も制御端末１０４に制御移行通知を送信し（２０４）、保守端末１０５の制御下に移行する（２０６）。
そして、ソフトウェア無線機１０１の制御部は、保守端末１０５との通信を行って（２０８）、保守端末１０５の指示で動作を行う。
【００５０】
そして、ソフトウェア無線機１０１の制御部は、保守端末１０５が接続中であるか否かを判断する（２１０）。具体的には、通信手段がシリアルであるかＴＣＰ／ＩＰであるかに応じて、シリアルであれば、シリアルデータを一定時間以上受信しなかったかどうかを監視し、通信手段がＴＣＰ／ＩＰであれば、接続が切断されたかどうかを監視する。
【００５１】
処理２１０において、保守端末１０５が接続中であった場合には（Ｙｅｓの場合）ソフトウェア無線機１０１の制御部は、処理２０８に戻って保守端末１０５との通信を続ける。
処理２１０において、保守端末１０５が接続中でなかった場合（Ｎｏの場合）には、制御部は、制御端末１０４に制御復帰通知を送信し（２１２）、制御端末１０４の制御下に移行する（２１４）。このようにして、別の実施の形態のソフトウェア無線機１０１の制御部の処理が行われるものである。
【００５２】
次に、別の実施の形態のソフトウェア無線機１０１、制御端末１０４、保守端末１０５、ＤＮＳサーバ１０６の間の制御シーケンスについて図８を用いて説明する。図８は、別の実施の形態における制御シーケンスを示すシーケンス説明図である。尚、図８では、保守端末１０５がネットワーク１０３を介してソフトウェア無線機１０１に接続する場合を示しており、シリアル通信で接続する場合には、図５に示した制御シーケンスとなる。
図８に示すように、通常はソフトウェア無線機１０１は、制御端末１０４の制御下にあり、制御端末１０４がソフトウェア無線機１０１に対してネットワークを介して制御信号を送信し、ソフトウェア無線機１０１がネットワークを介してそれに対する応答を行って、制御信号に基づいた動作を行っている。
【００５３】
そして、何らかの障害が発生して保守端末１０５からソフトウェア無線機１０１を制御する必要が生じた場合、又は通常運用状態であっても保守端末１０５からの保守を行う必要が生じた場合、保守端末１０５は、ＤＮＳサーバ１０６にアクセスし、制御対象のソフトウェア無線機１０１のホスト名に応じたＩＰアドレスを要求する（１）。
ＤＮＳサーバ１０６は、ＩＰアドレス要求に応じて、ホスト名に対応するＩＰアドレスを保守端末１０５に送信する（２）。
【００５４】
保守端末１０５は、取得したＩＰアドレスを用いてソフトウェア無線機１０１に接続要求を送信し（３）、ソフトウェア無線機１０１は、保守端末１０５に接続応答を送信して（４）、ＴＣＰ／ＩＰによるソフトウェア無線機１０１と保守端末１０５との接続が確立する。
【００５５】
そして、ソフトウェア無線機１０１は、制御端末１０４に制御移行通知を送信し（５）、制御端末１０４が、制御移行通知を受信して、応答を送信する（６）。
一方保守端末１０５は、ソフトウェア無線機１０１にステータス取得要求を送信し（７）、ソフトウェア無線機１０１は、それに応じて現在のステータス情報を送信する（８）。保守端末１０５では、ステータス情報を表示して、それに基づいてオペレータの操作によってソフトウェア無線機１０１の制御を行う。
このようにして別の実施の形態のソフトウェア無線機１０１の制御シーケンスが行われるものである。
【００５６】
本発明の別の実施の形態に係るソフトウェア無線機及び通信システムによれば、ネットワーク上に各ソフトウェア無線機１０１のＩＰアドレスを管理するＤＮＳサーバ１０６を設け、保守端末１０５がＤＮＳサーバ１０６から特定のソフトウェア無線機１０１のＩＰアドレスを取得し、当該ＩＰアドレスを用いてネットワークを介してソフトウェア無線機１０１に接続要求を送信し、ソフトウェア無線機１０１と保守端末１０５との間の接続が確立した場合、ソフトウェア無線機１０１が制御端末１０４の制御下から保守端末１０５の制御下に移行し、保守端末１０５との接続が切断された場合、制御端末１０４の制御下に移行するソフトウェア無線機１０１としているので、制御端末１０４とソフトウェア無線機１０１との間のネットワークに障害が発生した場合の緊急制御を行うことができ、また、通常運用時であっても保守端末１０５をネットワークを介して接続して制御端末１０４の制御に優先して保守端末１０５からの保守を行うことができる効果がある。
【００５７】
また、別の実施の形態に係るソフトウェア無線機１０１によれば、シリアルインタフェースを介して保守端末１０５と接続することも可能であり、広範囲にわたってネットワークに障害が発生した場合にも保守端末１０５から緊急制御ができ、迅速に対応できる効果がある。
【産業上の利用可能性】
【００５８】
本発明は、ネットワーク障害時にもオペレータによる制御を行うことができるソフトウェア無線機に適している。
【図面の簡単な説明】
【００５９】
【図１】本発明の実施の形態に係るソフトウェア無線機を含む通信システム（本システム）の構成ブロック図である。
【図２】本発明の実施の形態に係るソフトウェア無線機１の概略構成ブロック図である。
【図３】ソフトウェア無線機１の制御部の処理を示すフローチャート図である。
【図４】ソフトウェア無線機１と保守端末５との間でやりとりされる制御メッセージのデータフォーマットを示す模式説明図である。
【図５】ソフトウェア無線機１と制御端末４及び保守端末５との間の制御シーケンスを示すシーケンス説明図である。
【図６】本発明の別の実施の形態に係るソフトウェア無線機を備えた通信システムの構成図である。
【図７】別の実施の形態に係るソフトウェア無線機１０１の制御部の処理を示すフローチャート図である。
【図８】別の実施の形態における制御シーケンスを示すシーケンス説明図である。
【符号の説明】
【００６０】
１，１０１…ソフトウェア無線機、  ２，１０２…無線器材、  ３，１０３…ネットワーク、  ４，１０４…制御端末、  ５，１０５…保守端末、  １０６…ＤＮＳサーバ、  １１…信号処理部、  １２…インタフェース部、  １３…記憶部、  １４…制御部、  １５…シリアルインタフェース
【図１】
2008104149.tif 000003
【図２】
2008104149.tif 000004
【図３】
2008104149.tif 000005
【図４】
2008104149.tif 000006
【図５】
2008104149.tif 000007
【図６】
2008104149.tif 000008
【図７】
2008104149.tif 000009
【図８】
2008104149.tif 000010